(57)【要約】【課題】本発明が解決しようとする課題は、店舗の販売促進に寄与することが可能な情報処理装置およびプログラムを提供することである。【解決手段】実施形態の情報処理装置は、取引に際し入力された媒体を特定する媒体特定情報に基づいて、当該媒体と関連する他の媒体を特定する媒体特定情報が入力されたか否かを判断する判断手段と、前記判断手段が関連する他の媒体の媒体特定情報が入力されたことを判断したことを条件に、当該取引において媒体特定情報が入力された媒体に対して特典を付与する特典付与手段と、を備える。【選択図】図７
2018147398.tif 000002
【特許請求の範囲】
【請求項１】
取引に際し入力された媒体を特定する媒体特定情報に基づいて、当該媒体と関連する他の媒体を特定する媒体特定情報が入力されたか否かを判断する判断手段と、
前記判断手段が関連する他の媒体の媒体特定情報が入力されたことを判断したことを条件に、当該取引において媒体特定情報が入力された媒体に対して特典を付与する特典付与手段と、
を備えた情報処理装置。
【請求項２】
前記判断手段が、当該取引において前記他の媒体の媒体特定情報が入力されたか否かを判断し、
特典付与手段は、前記判断手段が当該取引において前記他の媒体の媒体特定情報が入力されたと判断したことを条件に、当該入力された媒体特定情報で特定される媒体に対しても特典を付与する、
請求項１に記載の情報処理装置。
【請求項３】
前記判断手段は、前記入力された媒体特定情報と関連し当該取引より前の所定期間以内の取引において入力された前記他の媒体の媒体特定情報が存在するか否かを判断し、
前記特典付与手段は、前記判断手段が前記所定期間内に入力された前記他の媒体の媒体特定情報が存在すると判断したことを条件に、当該取引において媒体特定情報が入力された媒体に対して特典を付与する、
請求項１または２に記載の情報処理装置。
【請求項４】
前記特典付与手段は、前記特典として所定のポイントを当該取引において媒体特定情報が入力された媒体に対して付与する、
請求項１乃至３のいずれか一に記載の情報処理装置。
【請求項５】
前記特典付与手段は、前記特典として値引処理された値引金額に相当する価値を当該取引において媒体特定情報が入力された媒体に対して付与する、
請求項１乃至４のいずれか一に記載の情報処理装置。
【請求項６】
コンピュータを、
取引に際し入力された媒体を特定する媒体特定情報に基づいて、当該媒体と関連する他の媒体を特定する媒体特定情報が入力されたか否かを判断する判断手段と、
前記判断手段が関連する他の媒体の媒体特定情報が入力されたことを判断したことを条件に、当該取引において媒体特定情報が入力された媒体に対して特典を付与する特典付与手段と、
して機能させるためのプログラム。
【発明の詳細な説明】
【技術分野】
【０００１】
本発明の実施形態は、情報処理装置およびプログラムに関する。
【背景技術】
【０００２】
従来から、店舗は、商品を購入する顧客に対して種々の販売プロモーションを実施している。たとえば、商品を購入した顧客に対し、商品の購入金額に応じたポイントを付与している。
【０００３】
このような販売プロモーションは、顧客へ販売促進に寄与している。
【０００４】
しかしながら、多くの店舗において同様の販売プロモーションを実施するようになり、販売促進のために、更なる付加価値を付けた販売プロモーションを実施して、他店舗との販売スタイルの差別化が求められる。
【発明の概要】
【発明が解決しようとする課題】
【０００５】
本発明が解決しようとする課題は、店舗の販売促進に寄与することが可能な情報処理装置およびプログラムを提供することである。
【課題を解決するための手段】
【０００６】
実施形態の情報処理装置は、取引に際し入力された媒体を特定する媒体特定情報に基づいて、当該媒体と関連する他の媒体を特定する媒体特定情報が入力されたか否かを判断する判断手段と、前記判断手段が関連する他の媒体の媒体特定情報が入力されたことを判断したことを条件に、当該取引において媒体特定情報が入力された媒体に対して特典を付与する特典付与手段と、を備える。
【図面の簡単な説明】
【０００７】
【図１】図１は、実施形態に係るＰＯＳシステムを示す概略図である。
【図２】図２は、ＰＯＳ端末の外観をオペレータ側から見た斜視図である。
【図３】図３は、ＰＯＳ端末のハードウェア構成を示すブロック図である。
【図４】図４は、顧客情報部の一部を示すメモリマップである。
【図５】図５は、ＰＯＳ端末の機能構成を示す機能ブロック図である。
【図６】図６は、ＰＯＳ端末の制御処理の流れを示すフローチャートである。
【図７】図７は、ＰＯＳ端末における決済処理の流れを示すフローチャートである。
【発明を実施するための形態】
【０００８】
以下、図面を参照して、実施形態について詳細に説明する。実施形態では、ＰＯＳ端末を情報処理装置の一例として説明する。なお、以下に説明する実施形態によりこの発明が限定されるものではない。
【０００９】
図１は、実施形態に係るＰＯＳシステムを示す概略図である。ＰＯＳシステムは、店舗で販売する商品の売上管理等を行うシステムであり、主に店舗内に設置される。ＰＯＳシステムは、店舗内に設置された複数台のＰＯＳ端末１と、店舗のバックヤードに設置された上位サーバである１台のサーバ２とを備える。ＰＯＳ端末１とサーバ２とは、ＬＡＮ（Local  Area  Network）等の通信回線３によって電気的に接続されている。そのため、ＰＯＳ端末１とサーバ２とは、相互に情報を送受信することができる。
【００１０】
ＰＯＳ端末１は、顧客との取引において、顧客が購入する商品の売上登録処理および決済処理を実行する。ＰＯＳ端末１は、取引において販売される商品に付されたバーコード等のシンボルの画像を撮像して対応する商品を特定する商品コードを取得する。売上登録処理とは、ＰＯＳ端末１が、取得した商品コードに基づいて読み出した、当該商品の商品情報（商品名、価格等）を表示するとともに、当該商品情報をＲＡＭ等に記憶する処理をいう。なお、ＰＯＳ端末１は、商品に付されたシンボルの画像を光学的に読み取って、対応する商品コードを取得するようにしてもよい。
【００１１】
また、決済処理とは、売上登録処理によってＲＡＭ等に記憶された商品情報に基づいて、当該取引に係る合計金額の表示、顧客から預かった預り金に基づいて釣銭を計算して表示する処理、釣銭の発行を釣銭機に指示する処理をいう。また、決済処理は、売上登録処理した商品情報や決済情報（合計金額、預り金額、釣銭額等）を印字したレシートを発行する処理を含む。
【００１２】
ＰＯＳ端末１は、決済処理した商品の商品情報や決済情報を、通信回線３を介してサーバ２に送信する。また、ＰＯＳ端末１は、所定期間（例えば一日）の売上を精算した精算情報を、通信回線３を介してサーバ２に送信する。
【００１３】
サーバ２は、各ＰＯＳ端末１から受信した商品情報、決済情報、精算情報等を、集中的に管理する。すなわち、サーバ２は、一店舗での売上管理等を行う。また、サーバ２は、最新の商品マスタ（図４を参照）に係る情報を各ＰＯＳ端末１に送信する。また、サーバ２は、各顧客の顧客情報を記憶する。顧客情報とは、顧客の住所等の属性情報の他、顧客を特定する顧客ＩＤ（Identification）、顧客が保有するカード（媒体）の情報、顧客が保有するポイント情報等を記憶する。サーバ２は、ＰＯＳ端末１の電源を立ち上げたタイミング、または予め定められた所定のタイミングで、顧客情報をＰＯＳ端末１に送信（ダウンロード）する。
【００１４】
なお、サーバ２は、さらに上位サーバである本部サーバ（図示せず）と接続されていてもよい。本部サーバは、一または複数の店舗を運営する本部に設置される。本部サーバは、サーバ２から送信された各店舗の売上情報を受信し、各店舗の売上管理等を行う。この場合、本部サーバが顧客情報を一括管理し、所定のタイミングでサーバ２に送信する。サーバ２は、受信した顧客情報を、所定のタイミングでＰＯＳ端末１に送信する。
【００１５】
図２は、実施形態にかかるＰＯＳ端末１を、オペレータ側から見た斜視図である。
【００１６】
ＰＯＳ端末１は、本体４と金銭収納箱５とを有する。金銭収納箱５は、金銭を収納するドロワを有し、顧客から預かった紙幣や貨幣の金銭や商品券等の有価証券類、および顧客に手渡す釣銭等を収納している。
【００１７】
本体４は、操作部２１、オペレータ用表示部２２、客用表示部２３、印字部２４、カード読取部２５、コードリーダ３０を備えている。操作部２１は数字を入力する置数キー、売上登録の終了を宣言する決済キー２１１（図３を参照）等のキーを備えたキーボードである。オペレータ用表示部２２は、液晶表示器等で構成され、ＰＯＳ端末１を操作するオペレータに商品情報、決済情報等を表示する。客用表示部２３は、液晶表示器等で構成され、顧客に商品情報、決済情報等を表示する。
【００１８】
印字部２４は、本体４内に収納されたロール状のレシート用紙を引き出して、例えば熱転写型の印字ヘッドを備えたサーマルプリンタ等で商品情報、決済情報等を印字し、レシートとして発行する。カード読取部２５は、顧客が提示したクレジットカードやポイントカード等のカード（媒体）からカードを特定するカードＩＤを読み取る。コードリーダ３０は、例えばハンディタイプのコードリーダである。コードリーダ３０は、例えば可視光線を使用して商品に付されたシンボルを撮像する。なお、コードリーダ３０は、シンボルを光学的に読み取るようにしてもよい。
【００１９】
続いて、ＰＯＳ端末１のハードウェア構成について説明する。図３は、ＰＯＳ端末１のハードウェア構成を示すブロック図である。図３に示すように、ＰＯＳ端末１は、ＣＰＵ（Central  Processing  Unit）１１、ＲＯＭ（Read  Only  Memory）１２、ＲＡＭ（Random  Access  Memory）１３、メモリ部１４等を備えている。ＣＰＵ１１は制御主体となる。ＲＯＭ１２は各種プログラムを記憶する。ＲＡＭ１３はプログラムや各種データを展開する。メモリ部１４は各種プログラムを記憶する。ＣＰＵ１１、ＲＯＭ１２、ＲＡＭ１３、メモリ部１４は、互いにバス１５を介して接続されている。ＣＰＵ１１とＲＯＭ１２とＲＡＭ１３が、制御部１００を構成する。すなわち、制御部１００は、ＣＰＵ１１がＲＯＭ１２やメモリ部１４に記憶されＲＡＭ１３に展開された制御プログラムに従って動作することによって、後述するＰＯＳ端末１に係る制御処理を実行する。
【００２０】
ＲＡＭ１３は、商品情報部１３１を備える。商品情報部１３１は、コードリーダ３０で読み取ったシンボルから取得した商品コードに基づいて売上登録処理された商品の商品情報（商品名、商品の価格等）を記憶する。
【００２１】
メモリ部１４は、電源を切っても記憶情報が保持されるＨＤＤ（Hard  Disc  Drive）やフラッシュメモリ等の不揮発性メモリで構成される。メモリ部１４は、制御プログラム部１４１、商品マスタ１４２、顧客情報部１４３、親子フラグ部１４４を備える。制御プログラム部１４１は、ＰＯＳ端末１を制御するための制御プログラムを記憶する。商品マスタ１４２は、商品毎に当該商品に係る情報を記憶する（詳細は図４で説明する）。顧客情報部１４３は、顧客の種々の情報を顧客毎に記憶する。顧客情報部１４３については、図４で後述する。
【００２２】
親子フラグ部１４４は、所定期間内に後述する親カードを特定するカードＩＤ（媒体特定情報）と子供カードを特定するカードＩＤが入力されたことを条件に、親子特典が成立し親子フラグ「１」を記憶する。すなわち、親子フラグが「１」であるということは、当該取引前に使用されたカードと当該取引で使用されたカードとは関連カードであり、当該取引前に使用されたカードは当該取引から所定期間内に使用されたことを示す。
【００２３】
親カードと子供カード（総称して「会員カード」という）は、互いに関連するカードの関係にある。例えば親カードは親が所有する。また、子供カードは当該親の子供が保有する。子供カードは１枚であっても複数枚（例えば子供が複数人いる場合）であってもよい。親カードは、店舗において親が買物をする場合（取引をする場合）に使用する。子供カードは、店舗において子供が買物をする場合（取引をする場合）に使用する。親子で買物をする場合は、親カードと子供カードを使用する。ここで、会員カードの使用とは、取引中に顧客から渡された会員カードを後述するカード読取部２５に挿入することであり、挿入された会員カードに記憶されているカードＩＤを磁気的または電気的に読み取ってＰＯＳ端末１に入力することを含む。すなわち、会員カードが使用されると、使用された会員カードのカードＩＤがＰＯＳ端末１に入力される。
【００２４】
一取引において親カードと子供カードが使用された場合、直近の親カードが使用されてから所定期間内であるとして、親子フラグ部１４４に親子フラグ「１」を記憶する。そして、使用された親カードと子供カードに対して親子特典が付与される。親子特典とは、合計金額からの割引や値引き、親子ポイントの付与、特定商品を購入した場合の割引きや値引き、クーポン券等の販促券の発券等を含む。これらの親子特典の一つまたは複数を付与する。例えば、親子特典を親子ポイントの付与とした場合、親カードおよび子供カードに対して親子ポイントが１０ポイントずつ付与される。この親子ポイントは、商品の購入に際し、合計金額に応じて付与されるポイントとは別に付与される。また、親子特典を合計金額からの割引とした場合、割引金額から所定の割合が割り引かれる。また、親子特典を特定商品を購入した場合の値引きとした場合、当該商品を購入すると値引される。店舗が販売促進したい商品を特定商品とすれば、当該商品の売上増につながる。
【００２５】
また、一取引において子供カードが使用された場合、直近の親カードが使用されてから所定期間内（例えば１週間以内）であれば、親子フラグ部１４４に親子フラグ「１」を記憶する。そして、使用された子供カードに対して親子特典が付与される。例えば、親子特典を親子ポイントの付与とした場合、子供カードに対して親子ポイントが１０ポイント付与される。また、親子特典を合計金額からの値引きとした場合、合計金額から所定の金額が値引かれ、値引き分の価値が付与される。値引いた金額分の価値を、後で子供の小遣いとして使用した子供カードに対応して記憶し、子供が使えるようにしてもよい。また、値引金額分の価値をポイントとして付与してもよい。また、親子特典を特定商品を購入した場合の値引きとした場合、当該商品を購入すると値引される。子供が好みそうな商品を特定商品とすれば、当該商品の売上増につながる。また、親子特典を販促券の発券とした場合、子供が好みそうな商品の販促券を発券するようにすれば、当該商品の販売促進につながる。これらの付与は、後述する顧客情報部１４３に記憶される。
【００２６】
また、一取引において親カードが使用された場合、直近の子供カードが使用されてから所定期間内（例えば１週間以内）であれば、親子フラグ部１４４に親子フラグ「１」を記憶する。そして、使用された親カードに対して親子特典が付与される。この場合、子供カードが使用された場合と同等の親子特典が付与される。親が、所定期間内の来店で親子特典を付与されることを意識することで、来店の動機付けとなる。
【００２７】
なお、例えば、親カードにはクレジット機能を付与し、現金およびクレジット機能を用いて決済可能であるが、子供カードにはクレジット機能を付与せず、現金決済のみ可能とすることが望ましい。しかしながら、この限りでなく、例えば子供カードにもクレジット決済機能を付与してもよい。また、親カードも現金決済のみとしてもよい。
【００２８】
また、所定期間は必ずしも必要ではなく、例えば、親カードと子供カードを同一の取引で使用した場合には、いつでも親子特典を付与するようにしてもよい。あるいは、子供カードを使用した場合、当該取引より前に親カードを使用した取引が存在すれば、親子特典を付与するようにしてもよい。あるいは、親カードを使用した場合、当該取引より前に子供カードを使用した取引が存在すれば、親子特典を付与するようにしてもよい。
【００２９】
また、制御部１００は、バス１５およびコントローラ１６を介して、決済キー２１１を含む操作部２１、オペレータ用表示部２２、客用表示部２３、印字部２４、カード読取部２５、コードリーダ３０と接続している。コントローラ１６は、制御部１００からの指示を受けて、操作部２１、オペレータ用表示部２２、客用表示部２３、印字部２４、カード読取部２５、コードリーダ３０を制御する。以下では、説明の都合上、コントローラ１６が行う制御を制御部１００が行うとして説明する。
【００３０】
また、制御部１００は、バス１５を介して、通信部２６と接続している。通信部２６は、通信回線３を介して、店内に設置された他のＰＯＳ端末１やサーバ２と電気的に接続している。
【００３１】
図４は、顧客情報部１４３の構成の一部を示すメモリマップである。顧客情報部１４３に記憶されている顧客情報は、所定のタイミング（例えば一日に一回）でサーバ２から毎回ダウンロードする。そのため、常に最新の顧客情報が記憶される。なお、実施形態では、１枚の親カードに対して２枚の子供カード（子供カードＡと子供カードＢ）が関連付けされている。
【００３２】
図４に示すように、顧客情報部１４３は、顧客ＩＤ部１４３１、顧客情報部１４３２、親カード部１４３３、子供カードＡ部１４３４、子供カードＢ部１４３５を備える。顧客ＩＤ部１４３１は、顧客を特定するＩＤ（Identification）が記憶される。顧客情報部１４３２は、顧客ＩＤで特定される顧客の諸情報（氏名、住所、電話番号、家族構成、合計金額に応じて付与されたポイント等）が記憶される。親カード部１４３３は、顧客ＩＤで特定される顧客が保有する親カードを特定するカードＩＤを記憶する。また、親カード部１４３３は、親カードが使用されたことによる特典（例えば、親子特典によって付与された親子ポイント等）が累積して記憶される。
【００３３】
子供カードＡ部１４３４は、顧客ＩＤで特定される顧客の子供が保有する子供カードＡを特定するカードＩＤを記憶する。また、子供カードＡ部１４３４は、子供カードＡが使用されたことによる親子特典（例えば、子供カードＡが使用されたことによる親子ポイント、子供カードＡが使用されたことによる親子特典としての値引金額等）が累積して記憶される。また、子供カードＢ部１４３５は、子供カードＢが使用されたことによる親子特典（例えば、子供カードＢが使用されたことによる親子ポイント、子供カードＢが使用されたことによる親子特典としての値引金額等）が累積して記憶される。図４において、同じ顧客ＩＤに対応付けられた親カードと子供カードは、互いに関連するカードである。制御部１００は、同一の顧客ＩＤで対応付けられた親カードと子供カードは関連するカードと判断する。
【００３４】
ここからは、ＰＯＳ端末１の制御について詳細に説明する。図５は、ＰＯＳ端末１の機能構成を示す機能ブロック図である。制御部１００は、ＲＯＭ１２やメモリ部１４の制御プログラム部１４１に記憶された制御プログラムに従うことで、判断手段１０１、特典付与手段１０２として機能する。
【００３５】
判断手段１０１は、取引に際し入力された会員カードを特定するカードＩＤに基づいて、当該媒体と関連する他の会員カードを特定するカードＩＤが入力されたか否かを判断する機能を有する。
【００３６】
特典付与手段１０２は、判断手段１０１が関連する他の会員カードのカードＩＤが入力されたことを判断したことを条件に、当該取引においてカードＩＤが入力された会員カードに対して特典を付与する機能を有する。
【００３７】
図６および図７は、ＰＯＳ端末１の制御処理の流れを示すフローチャートである。図６に示すように、制御部１００は、商品コードを取得したか否かを判断する（Ｓ１１）。商品コードを取得したと判断した場合には（Ｓ１１のＹｅｓ）、制御部１００は、売上登録処理を実行する（Ｓ１２）。すなわち、制御部１００は、当該商品コードに対応した商品情報を商品マスタ１４２から読み出してオペレータ用表示部２２および客用表示部２３に表示する。また、制御部１００は、読み出した商品情報を商品情報部１３１に記憶する。そして制御部１００は、Ｓ１１に戻る。
【００３８】
また、商品コードを取得していないと判断した場合には（Ｓ１１のＮｏ）、制御部１００は、決済キー２１１が操作されたか否かを判断する（Ｓ１３）。決済キー２１１が操作されたと判断した場合には（Ｓ１３のＹｅｓ）、制御部１００は、図７で後述する決済処理を実行する（Ｓ１４）。そして制御部１００は、Ｓ１１に戻る。
【００３９】
また、決済キー２１１は操作されていないと判断した場合には（Ｓ１３のＮｏ）、制御部１００は、会員カードが使用されたか否かを判断する（Ｓ２１）。会員カードが使用されたと判断した場合には（Ｓ２１のＹｅｓ）、制御部１００は、使用された会員カードが親カードであるか否かを判断する（Ｓ２２）。使用された会員カードが親カードであると判断した場合には（Ｓ２２のＹｅｓ）、制御部１００は、使用された親カードを特定するカードＩＤをメモリ部１４の所定の場所に記憶する（Ｓ２３）。
【００４０】
次に制御部１００は、タイマー（図示せず）が計時中か否かを判断する（Ｓ２４）。このタイマーは、会員カードが記憶されたときに起動し、会員カードが入力されてからの経過時間を計時する。タイマーが計時中ではない（すなわち停止中である）と判断した場合には（Ｓ２４のＮｏ）、制御部１００は、タイマーを起動し計時を開始する（Ｓ２５）。
【００４１】
次に制御部１００は、本取引（一取引の中で）において関連する子供カードが使用されているか否かを判断する（Ｓ２６）。この判断は、後述するＳ３２において、関連する子供カードのカードＩＤが記憶されたか否かで判断する。Ｓ３２において、関連する子供カードのカードＩＤが記憶された場合には、制御部１００は、本取引において関連する子供カードが使用されていると判断する。本取引において関連する子供カードは使用されていないと判断した場合には（Ｓ２６のＮｏ）、次に制御部１００は、過去の取引において、関連する子供カードが使用されてから所定期間以内であるか否かを判断する（Ｓ２７）。この判断は、後述するＳ５５において、メモリ部１４の所定の場所に関連する子供カードのカードＩＤが記憶されたか否かと、タイマーが所定期間を計時したか否かに基づいて判断する。メモリ部１４の所定の場所に関連する子供カードのカードＩＤが記憶されており、タイマーが所定期間を計時していない場合に、制御部１００は、関連する子供カードが使用されてから所定期間以内であると判断する。メモリ部１４の所定の場所に関連する子供カードのカードＩＤが記憶されていない場合と、タイマーが計時していない場合と、メモリ部１４の所定の場所に関連する子供カードのカードＩＤが記憶されており、タイマーが所定期間以上計時している場合は、制御部１００は、関連する子供カードが使用されてから所定期間以上経過していると判断する。
【００４２】
子供カードが使用されてから所定期間以内であると判断した場合（すなわち、本取引で親カードが使用され、過去の取引において子供カードが使用されている場合）には（Ｓ２７のＹｅｓ）、制御部１００は、親子フラグ部１４４に親子フラグ「１」を記憶する（Ｓ２８）。Ｓ２８において親子フラグ部１４４に親子フラグ「１」を記憶することは、親カードと関連する子供カードが存在することを意味する。また、本取引（一取引の中で）において関連する子供カードが使用されていると判断した場合（すなわち、本取引で親カードおよび関連する子供カードが使用されている場合）も（Ｓ２６のＹｅｓ）、制御部１００は、Ｓ２７の処理を実行することなく親子フラグ部１４４に親子フラグ「１」を記憶する（Ｓ２８）。そして制御部１００は、Ｓ１１に戻る。また、子供カードが使用されてから所定期間以上経過していると判断した場合には（Ｓ２７のＮｏ）、制御部１００は、Ｓ１１に戻る。また、タイマーが計時中であると判断した場合には（Ｓ２４のＹｅｓ）、制御部１００は、Ｓ２５の処理を実行せずＳ２６以降の処理を実行する。
【００４３】
一方、使用された会員カードが親カードではないと判断した場合には（Ｓ２２のＮｏ）、制御部１００は、使用された会員カードが子供カードであるか否かを判断する（Ｓ３１）。使用された会員カードが子供カードであると判断した場合には（Ｓ３１のＹｅｓ）、制御部１００は、使用された子供カードを特定するカードＩＤをメモリ部１４の所定の場所に記憶する（Ｓ３２）。
【００４４】
次に制御部１００は、タイマーが計時中か否かを判断する（Ｓ３３）。タイマーが計時中ではない（すなわち停止中である）と判断した場合には（Ｓ３３のＮｏ）、制御部１００は、タイマーを起動し計時を開始する（Ｓ３４）。
【００４５】
次に制御部１００は、本取引（一取引の中で）において関連する親カードが使用されているか否かを判断する（Ｓ３５）。この判断は、Ｓ２３において、関連する親カードのカードＩＤが記憶されたか否かで判断する。Ｓ２３において、関連する親カードのカードＩＤが記憶された場合には、制御部１００は、本取引において関連する親カードが使用されていると判断する。本取引において関連する親カードは使用されていないと判断した場合には（Ｓ３５のＮｏ）、次に制御部１００は、関連する過去の取引において親カードが使用されてから所定期間以内であるか否かを判断する（Ｓ３６）。この判断は、後述するＳ５５において、メモリ部１４の所定の場所に関連する親カードのカードＩＤが記憶されたか否かと、タイマーが所定期間を計時したか否かに基づいて判断する。メモリ部１４の所定の場所に関連する親カードのカードＩＤが記憶されており、タイマーが所定期間を計時していない場合に、制御部１００は、関連する親カードが使用されてから所定期間以内であると判断する。メモリ部１４の所定の場所に関連する親カードのカードＩＤが記憶されていない場合と、タイマーが計時していない場合と、メモリ部１４の所定の場所に関連する親カードが記憶されており、タイマーが所定期間以上計時している場合は、制御部１００は、関連する親カードが使用されてから所定期間以上経過していると判断する。
【００４６】
関連する親カードが使用されてから所定期間以内であると判断した場合（すなわち、本取引で子供カードが使用され、過去の取引において関連する親カードが使用されている場合）には（Ｓ３６のＹｅｓ）、制御部１００は、親子フラグ部１４４に親子フラグ「１」を記憶する（Ｓ３７）。Ｓ３７において親子フラグ部１４４に親子フラグ「１」を記憶することは、子供カードと関連する親カードが存在することを意味する。そして制御部１００は、Ｓ１１に戻る。また、本取引（一取引の中で）において関連する親カードが使用されていると判断した場合（すなわち、本取引で子供カードおよび関連する親カードが使用されている場合）も（Ｓ３５のＹｅｓ）、制御部１００は、親子フラグ部１４４に親子フラグ「１」を記憶する（Ｓ３７）。
【００４７】
また、関連する親カードが使用されてから所定期間以上経過していると判断した場合には（Ｓ３６のＮｏ）、制御部１００は、Ｓ１１に戻る。また、タイマーが計時中であると判断した場合には（Ｓ３３のＹｅｓ）、制御部１００は、Ｓ３４の処理を実行せずＳ３５以降の処理を実行する。
【００４８】
また、Ｓ２１において、会員カードは使用されていないと判断した場合には（Ｓ２１のＮｏ）、制御部１００は、タイマーが所定期間を計時したか否かを判断する（Ｓ４１）。タイマーが所定期間を計時したと判断した場合には（Ｓ４１のＹｅｓ）、制御部１００は、親子フラグ部１４４に記憶されている親子フラグを「０」にセットする（Ｓ４２）。そして制御部１００は、タイマーを停止し、「０」にリセットする（Ｓ４３）。そして制御部１００は、Ｓ２３で記憶した情報をクリアする（Ｓ４４）。また、制御部１００は、Ｓ３２で記憶した情報をクリアする。そして制御部１００は、Ｓ１１に戻る。また、タイマーが所定期間を計時していないと判断した場合には（Ｓ４１のＮｏ）、制御部１００は、Ｓ１１に戻る。
【００４９】
また、Ｓ３１において、使用された会員カードが子供カードではないと判断した場合には（Ｓ３１のＮｏ）、Ｓ２１において使用が判断された会員カードは親カードおよび子供カードではないと判断し、制御部１００は、使用された会員カードを特定するカードＩＤをメモリ部１４の所定の場所に記憶する（Ｓ３８）。そして制御部１００は、Ｓ１１に戻る。
【００５０】
次にＳ１４の決済処理について説明する。図７は、Ｓ１４におけるＰＯＳ端末１の決済処理の流れを示すフローチャートである。図７に示すように、制御部１００（判断手段１０１）は、親子フラグ部１４４に記憶された親子フラグが「１」であるか否かを判断する（Ｓ５１）。親子フラグが「１」であると判断した場合には（Ｓ５１のＹｅｓ）、制御部１００は、Ｓ２３において親カードのカードＩＤが記憶されたか否かを判断する（Ｓ５２）。親カードのカードＩＤが記憶されていると判断した場合には（Ｓ５２のＹｅｓ）、制御部１００は、Ｓ３２において子供カードのカードＩＤが記憶されたか否かを判断する（Ｓ５３）。子供カードのカードＩＤが記憶されていると判断した場合には（Ｓ５３のＹｅｓ）、当該取引において関連する子供カードのカード特定情報が記憶されているため、制御部１００（特典付与手段１０２）は、使用された親カードと子供カードに対して親子特典を付与する（Ｓ５４）。この場合、一取引において親カードと子供カードが使用されたため、両カードに対する親子特典を付与する。
【００５１】
そして制御部１００は、使用されたカードのカードＩＤをメモリ部１４の所定箇所に記憶する（Ｓ５５）。そして制御部１００は、当該取引について決済処理を実行する（Ｓ５６）。そして制御部１００は、Ｓ１１に戻る。
【００５２】
一方、Ｓ５３において、子供カードのカードＩＤを記憶していないと判断した場合には（Ｓ５３のＮｏ）、当該取引において関連する子供カードのカード特定情報が記憶されておらず、所定期間内の過去の取引において関連する子供カードが使用されているため、制御部１００（特典付与手段１０２）は、使用された親カードに対して親子特典を付与する（Ｓ５７）。この場合、当該取引では親カードが使用され、所定期間内における過去の取引において子供カードが使用されているため、親カードに対して親子特典を付与する。そして制御部１００は、Ｓ５５以降の処理を実行する。
【００５３】
また、Ｓ５２において、親カードのカードＩＤは記憶されていないと判断した場合には（Ｓ５２のＮｏ）、制御部１００は、Ｓ３２において子供カードのカードＩＤが記憶されたか否かを判断する（Ｓ５８）。子供カードのカードＩＤが記憶されていると判断した場合には（Ｓ５８のＹｅｓ）、当該取引において関連する親カードのカード特定情報が記憶されておらず、所定期間内の過去の取引において関連する親カードが使用されているため、制御部１００（特典付与手段１０２）は、使用された子供カードに対して親子特典を付与する（Ｓ５９）。この場合、当該取引では子供カードが使用され、所定期間内における過去の取引において親カードが使用されているため、子供カードに対して親子特典を付与する。そして制御部１００は、Ｓ５５以降の処理を実行する。
【００５４】
また、Ｓ５８において、子供カードのカードＩＤは記憶されていないと判断した場合には（Ｓ５８のＮｏ）、制御部１００は、エラー処理を実行する（Ｓ６０）。そして制御部１００は、Ｓ１１に戻る。また、Ｓ５１において、親子フラグが「１」ではないと判断した場合には（Ｓ５１のＮｏ）、制御部１００は、今回の取引において親子特典は付与されないと判断して、Ｓ５５以降の処理を実行する。
【００５５】
なお、Ｓ５４の処理を実行した場合のＳ５６の決済処理において、親カードおよび子供カードに付与した親子特典を印字したレシートを発行する。また、Ｓ５７の処理を実行した場合のＳ５６の処理において、親カードに付与した親子特典を印字したレシートを発行する。また、Ｓ５９の処理を実行した場合には、Ｓ５６の処理において、子供カードに付与した親子特典を印字したレシートを発行する。
【００５６】
このような実施形態では、親カードと子供カードが使用された場合に、親子特典が付与される。そのため、親である顧客は子供を連れて来店するようになり、店舗の販売促進に寄与する。また、子供がお使い等で一人で来店した場合も、当該子供に対して親子ポイントが付与される。そのため、子供の来店が期待できる。
【００５７】
以上、本発明の実施形態やその変形例を説明したが、この実施形態および変形例は、例として提示したものであり、発明の範囲を限定することは意図していない。この新規な実施形態やその変形例は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【００５８】
例えば、実施形態では、親カードと子供カードおよび親子特典を例に説明したが、家族カードを使用した場合に家族特典を付与するようにしてもよい。また、家族以外の友人、グループを対象としたカードおよび特典としてもよい。
【００５９】
また、実施形態では、子供カードＡと子供カードＢの２種類の子供カードとしたが、これに限らず、子供カードは、１枚以上いくつでもよい。
【００６０】
また、実施形態では、特定情報を磁気的または電気的に記憶したカードを媒体の一例として説明した。しかしながら、媒体はカード以外のものであってもよい。
【００６１】
また、実施形態では、情報処理装置をＰＯＳ端末１に適用して説明した。しかしながら、例えば、情報処理装置をサーバ２に適用してもよい。また、情報処理装置を本部サーバに適用してもよい。
【００６２】
なお、実施形態のＰＯＳ端末１で実行されるプログラムは、インストール可能な形式または実行可能な形式のファイルでＣＤ−ＲＯＭ、フレキシブルディスク（FD）、ＣＤ−Ｒ、ＤＶＤ（Digital  Versatile  Disk）等のコンピュータで読み取り可能な記録媒体に記録されて提供される。
【００６３】
また、実施形態のＰＯＳ端末１で実行されるプログラムを、インターネット等のネットワークに接続されたコンピュータ上に格納し、ネットワーク経由でダウンロードさせることにより提供するように構成してもよい。また、実施形態のＰＯＳ端末１で実行されるプログラムをインターネット等のネットワーク経由で提供または配布するように構成してもよい。
【００６４】
また、実施形態のＰＯＳ端末１で実行されるプログラムを、ＲＯＭ等に予め組み込んで提供するように構成してもよい。
【符号の説明】
【００６５】
１          ＰＯＳ端末
２          サーバ
２１        操作部
２４        印字部
２５        カード読取部
３０        コードリーダ
１００      制御部
１０１      判断手段
１０２      特典付与手段
１４３      顧客情報部
１４４      親子フラグ部
【先行技術文献】
【特許文献】
【００６６】
【特許文献１】特開２００４−０９４７０８号公報
【図１】
2018147398.tif 000003
【図２】
2018147398.tif 000004
【図３】
2018147398.tif 000005
【図４】
2018147398.tif 000006
【図５】
2018147398.tif 000007
【図６】
2018147398.tif 000008
【図７】
2018147398.tif 000009